(57)【要約】      （修正有）【課題】点灯中の熱によって構成要素が受ける影響を低減するランプの提供。【解決手段】ランプ１００は、透光性を有する外囲器１と、外囲器１内に配置される発光管２と、外囲器１内に配置され且つ発光管２を支持する支持枠３であって、外囲器１の先端部１ｂ側で固定される支持枠３とを備える。基部側に配置され且つ発光管２へ電気を導入する電気導入線６ｂと、電気導入線６ｂを支持枠３に接続し且つ可撓性を有する導電部材とをさらに備え、支持枠３は、導電性を有し且つ前記発光管２と電気的に接続される【選択図】図１
2018092745.tif 000002
【特許請求の範囲】
【請求項１】
透光性を有する外囲器と、
前記外囲器内に配置される発光管と、
前記外囲器内に配置され且つ前記発光管を支持する支持枠であって、前記外囲器の先端側で固定される支持枠と
を備える
ランプ。
【請求項２】
前記外囲器内の基部側に配置され且つ前記発光管へ電気を導入する電気導入線と、
前記電気導入線を前記支持枠に接続し且つ可撓性を有する導電部材とをさらに備え、
前記支持枠は、導電性を有し且つ前記発光管と電気的に接続される
請求項１に記載のランプ。
【発明の詳細な説明】
【技術分野】
【０００１】
本発明は、ランプに関する。
【背景技術】
【０００２】
屋内外の施設の照明装置、船舶に搭載される集魚灯及び水中灯等のランプとして、外囲器内に発光管を備えるランプが既知である。例えば、特許文献１に記載されるランプは、一対の電極を有する発光管が、２つのステム線によって外囲器としての外管内に支持される構成を有している。さらに、外管に封止固着されたステムガラスが、２つのステム線を備える。外管の先端付近において、発光管の一方の電極に接続された外部リード線が、一方のステム線に固定支持された絶縁リングによって挿通支持される。外部リード線と一方のステム線とは、軟導線を介して接続されている。外管の基部付近において、他方のステム線が、発光管の他方の電極に接続された外部リード線に溶接接続されている。
【先行技術文献】
【特許文献】
【０００３】
【特許文献１】特開平６−３３８２９４号公報
【発明の概要】
【発明が解決しようとする課題】
【０００４】
特許文献１に記載されるランプでは、ランプ点灯中の熱によって生じる発光管の伸長差は、外部リード線が絶縁リングに挿通されていることによって、吸収される。この場合、ランプは、ステムガラスから外管の先端に向かう方向に伸長する。例えば、ランプ全長を短くするために、外管の先端と発光管の電極との距離を小さくすると、伸長時に発光管の電極が絶縁リングに接触し拘束を受ける可能性がある。これにより、他方のステム線と外部リード線との接続部分に負荷がかかり、これらの溶接接続が外れる場合がある。つまり、点灯中の熱によってランプの構成要素が影響を受けるという問題がある。
【０００５】
本発明は、上述のような問題を解決するためになされたものであり、点灯中の熱によって構成要素が受ける影響を低減するランプを提供する。
【課題を解決するための手段】
【０００６】
本発明の一態様に係るランプは、透光性を有する外囲器と、前記外囲器内に配置される発光管と、前記外囲器内に配置され且つ前記発光管を支持する支持枠であって、前記外囲器の先端側で固定される支持枠とを備える。
【発明の効果】
【０００７】
本発明に係るランプによれば、点灯中の熱によって構成要素が受ける影響が低減する。
【図面の簡単な説明】
【０００８】
【図１】本発明の実施の形態に係るランプの構成を示す概念的な側面図である。
【図２】図１のランプを異なる方向から見た概念的な側面図である。
【図３】図１のランプの点灯時の状態を示す概念的な側面図である。
【図４】図２のランプの点灯時の状態を示す概念的な側面図である。
【発明を実施するための形態】
【０００９】
以下において、図面を参照しつつ、本発明の実施の形態に係るランプを説明する。なお、以下で説明する実施の形態は、本発明の好ましい一具体例を示すものである。以下の実施の形態で示される数値、形状、材料、構成要素、並びに構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。
【００１０】
また、添付の図面における各図は、模式的な図であり、必ずしも厳密に図示されたものでない。さらに、各図において、同一又は同様な構成要素については同じ符号を付している。また、以下の実施の形態の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００１１】
［実施の形態］
実施の形態に係るランプ１００の構成を説明する。図１及び図２を参照すると、ランプ１００が、互いに異なる方向から見た側面図で示されている。なお、図１は、実施の形態に係るランプ１００の構成を示す概念的な側面図である。図２は、図１のランプ１００を異なる方向から見た概念的な側面図である。図１でランプ１００を見る方向と、図２でランプ１００を見る方向とは、略垂直である。図１及び図２は、消灯状態のランプ１００を示す。ランプ１００は、透光性を有する外囲器１と、外囲器１内に配置される発光管２と、外囲器１内に配置され且つ発光管２を支持する支持枠３とを備える。
【００１２】
中空構造の外囲器１は、ランプ１００の外殻を構成し、内部に空間を形成する。外囲器１は、透光性を有する部材で構成され、例えば、透明又は半透明である。外囲器１は、硬質ガラス若しくは石英ガラスなどのガラス材、又は樹脂等で構成される。限定するものではないが、本実施の形態では、外囲器１は、楕円球状の外形を有している。しかしながら、外囲器１は、球、円筒等のいかなる外形を有してもよい。
【００１３】
外囲器１は、楕円球状の本体部１ａと、本体部１ａの長手軸Ａ方向の一方の端部の先端部１ｂと、本体部１ａの長手軸Ａ方向の他方の端部の基部１ｃとを一体的に含む。本体部１ａの長手軸Ａは、楕円球の長軸に対応し、先端部１ｂから基部１ｃに向かう方向に延びる。長手軸Ａは、外囲器１の中心軸を構成する。先端部１ｂは、有底筒状の形状を有し、基部１ｃは、筒状の形状を有している。先端部１ｂの内部空間、基部１ｃの内部空間及び本体部１ａの内部空間は、互いに連通し、外囲器１の１つの内部空間を一緒に形成する。また、基部１ｃは、本体部１ａと反対側の端部に、外囲器１の内部空間を外部に連通する開口部を形成している。
【００１４】
先端部１ｂ及び基部１ｃはいずれも、本体部１ａを大幅に先細にするような形状を有している、つまり、長手軸Ａに垂直な方向で本体部１ａよりも大幅に絞られた断面を有している。よって、本体部１ａは、先端部１ｂ及び基部１ｃに対して、長手軸Ａに垂直な方向に外囲器１の内部空間を拡大した部位である。上述のような先端部１ｂ及び基部１ｃは、外囲器１の先細部分を構成し、本体部１ａは、外囲器１の拡大部分を構成する。後述するように、本体部１ａ内に発光管２が配置されるため、発光管２の発熱の影響を低減するために、本体部１ａは、発光管２から離れた位置に外殻を形成する。また、後述するように、先端部１ｂには、発光管２の保持部材３ｄが配置され、基部１ｃには、発光管２の保持部材３ｅが配置されるため、先端部１ｂ及び基部１ｃは、内部に支持枠３並びに保持部材３ｄ及び３ｅが収まる程度の大きさの外殻を形成する。
【００１５】
ランプ１００は、外囲器１の基部１ｃの開口部に接続される口金４を備えている。口金４は、ランプ１００における電気機器との物理的及び電気的な接続部分を構成する。口金４の内側には、ステム５が配置されている。ステム５は、口金４に固定され、口金４から延びる２つの電気導入線６ａ及び６ｂを互いから離した状態で保持する。
【００１６】
発光管２は、ランプ１００の発光部分を構成する。発光管２は、例えば、メタルハライドランプ、高圧ナトリウムランプ、水銀ランプ等の高輝度放電灯の発光部分を構成してもよい。本実施の形態では、発光管２は、メタルハライドランプの発光部分を構成する。発光管２は、例えば、石英ガラス、セラミック等で構成された円筒状の部材である。発光管２の軸心方向の両端に設けられた一対の電極部分２ａ及び２ｂはそれぞれ、発光管２の上記材料で構成され、発光管２の電極を支持する。電極部分２ａ及び２ｂそれぞれが有する電極は、電気導入線６ａ及び６ｂと電気的に接続される。電極部分２ａ及び２ｂの電極はそれぞれ、例えば、タングステン等の耐熱性金属で構成された棒状体である電極芯と、当該電極芯の先端部に巻回されたタングステン等の耐熱性金属で構成されたコイルとを有している。ここで、電極部分２ａ及び２ｂは、発光管の極の一例である。
【００１７】
発光管２は、電極部分２ａを先端部１ｂへ向け且つ電極部分２ｂを基部１ｃへ向けた姿勢で、外囲器１内に配置される。さらに、電極部分２ａから電極部分２ｂにわたる発光管２の全体が、外囲器１の本体部１ａ内に収まっている。そして、発光管２は、後述するように、支持枠３並びに保持部材３ｄ及び３ｅを介して、外囲器１の先端部１ｂ及び基部１ｃの内周面上で支持される。なお、電極部分２ａ及び２ｂそれぞれの少なくとも一部が、外囲器１の先端部１ｂ及び基部１ｃ内に位置してもよい。外囲器１において、このような本体部１ａは、電極部分２ａ及び２ｂの少なくとも一部を含んで発光管２を収容する部位と定義することができる。さらに、外囲器１において、先端部１ｂ及び基部１ｃはそれぞれ、保持部材３ｄ及び３ｅを収容する部位と定義することができる。
【００１８】
発光管２の内部には、例えば、水銀と、主発光金属（Ｔｌ、Ｎａ、Ｉｎ、Ｓｃ等）と、ハロゲンとしての沃素とが封入され、さらにアルゴン等の始動用の希ガスが封入される。なお、主発光金属及びハロゲンは、例えば、ＴｌＩ等の金属ハロゲン化物の形で発光管１０内に封入できる。発光管２は、水銀と金属ハロゲン化物（メタルハライドとも呼ばれる）との高圧の混合蒸気中でのアーク放電により発光する。
【００１９】
支持枠３は、外囲器１の先端部１ｂから基部１ｃに向かう方向に延びる２つの軸部材３ａ及び３ｂと、軸部材３ａ及び３ｂを互いに間隔をあけた状態で接続する２つの接続部材３ｃとを備える。接続部材３ｃは、軸部材３ａ及び３ｂの両端付近に配置される。軸部材３ａ及び３ｂ並びに接続部材３ｃは、金属等の導電性を有する材料で構成される。本実施の形態では、軸部材３ａ及び３ｂ並びに接続部材３ｃを構成する材料は、ステンレスであるが、これに限定されない。軸部材３ａ及び３ｂのそれぞれの両端に、保持部材３ｄ及び３ｅが取り付けられている。保持部材３ｄ及び３ｅはそれぞれ、外囲器１の先端部１ｂ及び基部１ｃの内周面に沿うように湾曲した板状の部材であり、軸部材３ａ又は３ｂと略垂直に延びる。保持部材３ｄ及び３ｅは、弾性を有し、例えば、板ばねによって形成されるが、樹脂等で構成されてもよい。本実施の形態では、保持部材３ｄ及び３ｅを構成する材料は、軸部材３ａ及び３ｂ等と同様にステンレスであるが、これに限定されない。
【００２０】
支持枠３は、軸部材３ａ及び３ｂの一方の端部を保持部材３ｄと共に、外囲器１の先端部１ｂの内側に挿入するように、配置される。このとき、保持部材３ｄが、先端部１ｂの内周面に係合し、支持枠３を先端部１ｂに弾性的に固定する。これにより、支持枠３は、長手軸Ａの軸方向及び径方向に固定される。なお、保持部材３ｄによる支持枠３の固定は、いかなる状態でも外囲器１に対して支持枠３を不動にする強固な固定であってもよく、外囲器１に対して長手軸Ａ方向での支持枠３のスライドを許容する固定であってもよい。後者の場合、例えば、外囲器１を損傷することなく、先端部１ｂへの支持枠３の挿入及び引き抜きが可能な程度の固定であってもよく、外囲器１に損傷を与えないような通常の使用状態での振動又は衝撃が外囲器１に加えられた際に、支持枠３がスライドしないような固定であってもよい。
【００２１】
なお、市販される汎用的な外囲器１では、一般的に、先端部１ｂでの部材厚が、他の部位での部材厚よりも大きい。このため、先端部１ｂは、比較的高い強度を有する。このような先端部１ｂは、支持枠３の固定場所として好適であり、支持枠３に確実に且つ安定した固定をもたらすことができる。
【００２２】
また、上述のように配置された支持枠３において、軸部材３ａ及び３ｂの他方の端部は、保持部材３ｅと共に、外囲器１の基部１ｃの内側に位置する。保持部材３ｅは、基部１ｃの内周面に係合し、長手軸Ａの径方向で支持枠３を基部１ｃに弾性的に固定する。これにより、軸部材３ａ及び３ｂは、長手軸Ａの径方向に移動しないように保持され、長手軸Ａの軸方向には、保持部材３ｅと共に基部１ｃに対してスライドできる。本実施の形態では、保持部材３ｄ及び３ｅは、支持枠３が長手軸Ａ方向にスライドしても先端部１ｂ及び基部１ｃそれぞれでの係合状態を維持するように、長手軸Ａ方向に間隔をあけて配置されている。
【００２３】
上述のような支持枠３は、軸部材３ａ及び３ｂが先端部１ｂから基部１ｃに向かう方向に伸縮できる状態で、先端部１ｂに固定されていることになる。そして、軸部材３ａ及び３ｂは、基部１ｃにおいて、口金４及びステム５等の外囲器１に固定された構成要素に固定されず、基部１ｃ及び保持部材３ｅによって、軸部材３ａ及び３ｂの軸方向と垂直な方向で保持され、軸方向にスライド可能である。従って、本実施の形態では、支持枠３は、軸部材３ａ及び３ｂの軸方向において、先端部１ｂ側でのみ固定される。
【００２４】
支持枠３の軸部材３ａ及び３ｂには、発光管２を軸部材３ａ及び３ｂに固定する第一固定部材７ａが取り付けられている。第一固定部材７ａは、発光管２の発熱に対する耐熱性を有する材料で構成され、さらに、発光管２の電極部分２ａと軸部材３ａ及び３ｂとへの第一固定部材７ａの取り付け及び固定を容易にするように、加工が容易な材料で構成されることが望ましい。例えば、第一固定部材７ａは、ステンレス等の金属で構成される。第一固定部材７ａは、先端部１ｂの近傍で、軸部材３ａから軸部材３ｂに架け渡されるように配置されている。第一固定部材７ａは、本体部１ａ内に配置されているが、先端部１ｂ内に位置してもよい。第一固定部材７ａは、軸部材３ａ及び３ｂに固定されている。さらに、第一固定部材７ａと軸部材３ａ及び３ｂとの間には、セラミック等の電気的な絶縁性を有する材料で構成された絶縁性部材が介在し、これらの絶縁性部材は、第一固定部材７ａと軸部材３ａ及び３ｂとを電気的に絶縁する。発光管２は、軸部材３ａ及び３ｂの間に配置され、電極部分２ａで、第一固定部材７ａに取り付けられ固定される。発光管２の電極部分２ａの電極は、導電部材を介して軸部材３ａ及び３ｂに電気的に接続される。
【００２５】
支持枠３の軸部材３ａには、これを保護する第一保護部材８及び第二保護部材９が、設けられている。同様に、軸部材３ｂにも、これを保護する第一保護部材８及び第二保護部材９が、設けられている。第一保護部材８及び第二保護部材９は、筒状の形状を有し、軸部材３ａ及び３ｂを外側から覆う。第一保護部材８及び第二保護部材９は、電気的な絶縁性を有する材料で構成され、さらに、断熱性を有することが望ましい。例えば、第一保護部材８及び第二保護部材９は、セラミックで構成される。第一保護部材８及び第二保護部材９はいずれも、軸部材３ａ及び３ｂに固定されず、軸部材３ａ及び３ｂ上で軸方向にスライド可能であるように設けられる。
【００２６】
軸部材３ａ及び３ｂそれぞれにおいて、第二保護部材９は、第一固定部材７ａと隣り合って配置され、具体的には、第一固定部材７ａに対して先端部１ｂ及び保持部材３ｄと反対側に位置する。軸部材３ａ及び３ｂそれぞれにおいて、第一保護部材８は、第二保護部材９と隣り合って配置され、具体的には、第二保護部材９に対して第一固定部材７ａと反対側に位置する。第二保護部材９と第一固定部材７ａとの間に、他の部材が介在してもよい。
【００２７】
第一保護部材８及び第二保護部材９はそれぞれ、発光管２の長手軸Ａ方向の一部と隣接するように設けられている。さらに、第一保護部材８及び第二保護部材９の全体は、発光管２の長手軸Ａ方向の略全体に隣接するように設けられている。つまり、第一保護部材８及び第二保護部材９は、発光管２の長手軸Ａ方向の略全体にわたって、軸部材３ａ及び３ｂと発光管２との間に介在し、発光管２が発生する熱から軸部材３ａ及び３ｂを防護する。特には、第一保護部材８及び第二保護部材９は、発光管２の発熱部分である電極部分２ａと電極部分２ｂとの間の部分の全体に少なくとも隣接する。
【００２８】
第一保護部材８と第二保護部材９との境界である継ぎ目は、長手軸Ａ方向で、発光管２の中央位置からずれた位置にある。本実施の形態では、継ぎ目は、発光管２の中央位置よりも基部１ｃに近い位置に位置している。なお、発光管２の中央位置は、電極部分２ａと電極部分２ｂとの中間位置である。発光管２の中央位置では、アーク放電量が最も大きくなるため、発熱量も最も大きくなる。このような中央位置には、第一保護部材８と第二保護部材９との継ぎ目が隣接せず、第二保護部材９が隣接する。これにより、発光管２に対する軸部材３ａ及び３ｂの熱防護が効果的になる。なお、本実施の形態では、第一保護部材８と第二保護部材９との継ぎ目は、発光管２の電極部分２ｂと隣接する位置にある。これにより、軸部材３ａ及び３ｂの熱防護がさらに効果的になる。また、上述のような継ぎ目位置を形成する第一保護部材８及び第二保護部材９では、第一保護部材８の方が、第二保護部材９よりも短い。これにより、第一保護部材８の方が、第二保護部材９よりも軸部材３ａ及び３ｂ上で容易にスライドする。
【００２９】
また、軸部材３ａ及び３ｂの第一保護部材８には、発光管２を２つの第一保護部材８に固定する第二固定部材７ｂが取り付けられている。第二固定部材７ｂは、第一固定部材７ａと同様に、耐熱性を有する材料で構成され、さらに、加工が容易な材料で構成されることが望まく、例えばステンレス等の金属で構成される。第二固定部材７ｂは、発光管２の電極部分２ｂで、２つの第一保護部材８に架け渡されるように配置され、第一保護部材８に固定されている。よって、発光管２は、一端の電極部分２ａで軸部材３ａ及び３ｂに固定され、他端の電極部分２ｂで軸部材３ａ及び３ｂに対して長手軸Ａ方向で相対移動可能である。さらに、軸部材３ａ及び３ｂは、第二固定部材７ｂとの接続部分で第一保護部材８による保護受けるため、第二固定部材７ｂから受ける力を低減し、それにより、曲がり、屈折等の変形の発生を抑える。
【００３０】
発光管２の電極部分２ｂの電極は、可撓性を有する第二導電部材１１ｂによって、ステム５から外囲器１内に突出する電気導入線６ｂと物理的及び電気的に接続される。ステム５から外囲器１内に突出する電気導入線６ａは、可撓性を有する第一導電部材１１ａによって、支持枠３、具体的には、接続部材３ｃと物理的及び電気的に接続される。２つの接続部材３ｃのうちの基部１ｃに近い方の接続部材３ｃが第一導電部材１１ａと接続される。第一導電部材１１ａ及び第二導電部材１１ｂは、金属等の導電性を有する材料で構成され、さらに、可撓性、より好ましくは、柔軟性を有するように形成される。例えば、第一導電部材１１ａ及び第二導電部材１１ｂは、リード線、金属ストリップ、金属箔の形で形成されてもよく、コイルばねのように伸縮自在な形で形成されてもよい。このような発光管２及び支持枠３は、全く移動しないようには、ステム５並びに電気導入線６ａ及び６ｂに固定されていない。
【００３１】
上述のようなランプ１００は、点灯され、発光管２が発熱すると、図３及び図４に示されるような状態となる。なお、図３は、図１のランプ１００の点灯時の状態を示す概念的な側面図である。図４は、図２のランプの点灯時の状態を示す概念的な側面図である。
【００３２】
支持枠３において、第一保護部材８及び第二保護部材９は、軸部材３ａ及び３ｂを発光管２が発生する熱から防護する。具体的には、第一保護部材８及び第二保護部材９は、発光管２の発生熱から軸部材３ａ及び３ｂを完全に防護するわけでなく、軸部材３ａ及び３ｂに伝達する熱を低減する。これにより、軸部材３ａ及び３ｂの溶融、過度な熱変形が抑制される。
【００３３】
軸部材３ａ及び３ｂは、第一保護部材８及び第二保護部材９を通じて伝達する熱と、発光管２から第一保護部材８及び第二保護部材９以外の部分への輻射熱とによって、昇温する。これにより、軸部材３ａ及び３ｂは、その軸方向である長手軸Ａ方向に伸長する。具体的には、軸部材３ａ及び３ｂは、外囲器１の先端部１ｂで固定されているため、先端部１ｂから基部１ｃに向かって伸長する。例えば、軸部材３ａ及び３ｂが先端部１ｂに向かって伸長した場合でも、軸部材３ａ及び３ｂの端部が、外囲器１に当接し外囲器１から反力を受けるため、軸部材３ａ及び３ｂは、全体として、基部１ｃに向かって伸長する。そして、基部１ｃに位置する軸部材３ａ及び３ｂの端部、接続部材３ｃ及び保持部材３ｅが口金４に向かって移動する。基部１ｃ及びその近傍では、軸部材３ａ及び３ｂは、接続部材３ｃを介して、第一導電部材１１ａと接続されているだけでしかないため、干渉を受けずに自由に伸長可能である。これにより、伸長時に軸部材３ａ及び３ｂから先端部１ｂに作用する力が抑えられる。さらに、伸長時、第一導電部材１１ａは自在に撓むため、第一導電部材１１ａと電気導入線６ａ及び接続部材３ｃとの接続部分に作用する負荷が低く抑えられ、接続が良好に維持される。さらに、ステム５の破損も抑えられる。また、伸長時に軸部材３ａ及び３ｂから力を受け得る外囲器１は、ランプ１００の構成要素の中でも頑丈な構成要素であるため、軸部材３ａ及び３ｂからの力で容易に破損しない。
【００３４】
さらに、軸部材３ａ及び３ｂは、第一保護部材８及び第二保護部材９に対してスライドするように相対的に伸長する。これによっても、伸長時に軸部材３ａ及び３ｂから先端部１ｂに作用する力が抑えられる。さらに、第一保護部材８及び第二保護部材９が、伸長する軸部材３ａ及び３ｂと共に移動しないため、第一保護部材８が移動することに起因する発光管２に作用する負荷も抑えられる。特に、第一保護部材８の長さが小さく抑えられるため、熱等の影響で軸部材３ａ及び３ｂに歪み、撓み等の変形が生じた場合でも、第一保護部材８と軸部材３ａ及び３ｂとの間の円滑な相対的な移動が維持される。よって、ランプ１００における各構成要素の破損の発生が抑えられる。
【００３５】
上述のようなランプ１００は、屋内外に設置される様々な照明装置のランプに適用可能である。例えば、ランプ１００は、スポーツ施設、商業施設などの屋内外の施設の照明装置、船舶に搭載される集魚灯及び水中灯等に適用可能である。
【００３６】
上述したように実施の形態に係るランプ１００は、透光性を有する外囲器１と、外囲器１内に配置される発光管２と、外囲器１内に配置され且つ発光管２を支持する支持枠３であって、外囲器１の先端部１ｂ側で固定される支持枠３とを備える。
【００３７】
上述の構成において、発光管２の支持枠３は、外囲器１の先端部１ｂ側で固定されている。これにより、支持枠３は、外囲器１によって確実に支持され、発光管２を確実に固定することができる。また、発光時の発光管２の熱により支持枠３が熱膨張する。例えば、支持枠３が外囲器１の基部１ｃ側で固定されていなければ、支持枠３は、外囲器１の先端部１ｂから基部１ｃに向かって伸長することができる。また、支持枠３が先端部１ｂに向かって伸長した場合でも、伸長に伴い支持枠３が与える力は、外囲器１によって支持され、支持枠３は、全体として先端部１ｂから基部１ｃに向かって伸長する。そして、頑丈な外囲器１は、伸長する支持枠３によって損傷を受けにくい。例えば、支持枠３が、外囲器１の基部１ｃ側で固定され先端部１ｂに向かって伸長する場合、先端部１ｂ側で外囲器１と接触し、外囲器１から伸長の制限を受ける可能性がある。この場合、伸長に起因する負荷が、外囲器１の基部１ｃ側の支持枠３の固定部分に発生し、この固定部分を損傷する可能性がある。よって、点灯中の熱によってランプ１００の構成要素が受ける影響が低減する。
【００３８】
実施の形態に係るランプ１００は、外囲器１内の基部１ｃ側に配置され且つ発光管２へ電気を導入する電気導入線６ａ及び６ｂと、電気導入線６ａを支持枠３に接続し且つ可撓性を有する導電部材１１ａとをさらに備え、支持枠３は、導電性を有し且つ発光管２と電気的に接続される。上述の構成において、導電部材１１ａが可撓性を有するため、支持枠３が熱伸縮した場合でも、導電部材１１ａと電気導入線６ａ及び支持枠３との接続部分において、負荷の発生が抑えられ、良好な接続が維持される。
【００３９】
実施の形態に係るランプ１００において、支持枠３は、外囲器１の先端部１ｂから基部１ｃに向かう方向に延びる軸部材３ａ及び３ｂと、軸部材３ａ及び３ｂ上に設けられ且つ軸部材３ａ及び３ｂを保護する第一保護部材８とを含み、発光管２は、第一保護部材８に取り付けられる。上述の構成において、第一保護部材８は、発光管２の取付部分等から軸部材３ａ及び３ｂが受ける負荷を低減し、軸部材３ａ及び３ｂの変形を抑える。また、軸部材３ａ及び３ｂは、発光時の発光管２の熱により熱膨張する場合、その軸方向に伸長する。例えば、第一保護部材８は、軸部材３ａ及び３ｂに対してスライドすることができれば、伸縮する軸部材３ａ及び３ｂを自身に対してスライドさせ、軸部材３ａ及び３ｂの伸縮へ与える干渉を抑える。
【００４０】
実施の形態に係るランプ１００において、第一保護部材８は、発光管２に部分的に隣接して配置される。上述の構成において、第一保護部材８は、例えば、発光管２の全体にわたるように長く形成されない。例えば、第一保護部材８は、軸部材３ａ及び３ｂに対してスライドすることができれば、軸部材３ａ及び３ｂとの接触面積を低く抑え、軸部材３ａ及び３ｂに対して良好な摺動性を有することができる。よって、熱伸長時に軸部材３ａ及び３ｂに撓み等の湾曲が発生した場合でも、第一保護部材８は、軸部材３ａ及び３ｂを自身に対してスライドさせ、軸部材３ａ及び３ｂの伸縮へ与える干渉を抑えることができる。
【００４１】
実施の形態に係るランプ１００において、支持枠３は、第一保護部材８に加え、第二保護部材９を含み、第一保護部材８及び第二保護部材９の境界は、発光管２に隣接する位置にある。上述の構成において、軸部材３ａ及び３ｂは、第一保護部材８以外の部分でも、第二保護部材９によって保護される。これにより、発光管２から軸部材３ａ及び３ｂに伝達する熱が抑えられる。
【００４２】
実施の形態に係るランプ１００において、発光管２は、外囲器１の先端部１ｂ側及び基部１ｃ側のそれぞれに、電極部分２ａ及び２ｂを有し、第一保護部材８及び第二保護部材９の境界は、軸部材３ａ及び３ｂの軸方向で電極部分２ａ及び２ｂの間の中間位置からずれた位置にある。上述の構成において、発光管２の電極部分２ａ及び２ｂ間の中間位置は、アークスポットとなり、発光管２で最も熱量が大きい位置である。第一保護部材８及び第二保護部材９の隣接部分である継ぎ目を上記中間位置からずらすことによって、第一保護部材８及び第二保護部材９は、上記中間位置で発生した熱から軸部材３ａ及び３ｂが受ける影響を効果的に抑える。
【００４３】
［その他の変形例］
実施の形態に係るランプ１００では、支持枠３は、外囲器１に係合することによって固定されていたが、これに限定されない。例えば、支持枠３は、外囲器１の内周面に形成された突起に嵌合することによって固定されてもよく、外囲器１の内周面に形成された雌ねじに螺合することによって固定されてもよく、接着又は溶着によって外囲器１に固定されてもよい。又は、支持枠３は、他の固定部材を用いて外囲器１に固定されてもよい。
【符号の説明】
【００４４】
１  外囲器
１ｂ  先端部
１ｃ  基部
２  発光管
２ａ，２ｂ  電極部分（極）
３  支持枠
３ａ，３ｂ  軸部材
６ａ，６ｂ  電気導入線
８  第一保護部材
９  第二保護部材
１１ａ  導電部材
１００  ランプ
【図１】
2018092745.tif 000003
【図２】
2018092745.tif 000004
【図３】
2018092745.tif 000005
【図４】
2018092745.tif 000006